(57)【特許請求の範囲】
【請求項１】
容器底部に底シートを介在させた状態で正面シートと背面シートとを貼り合わせてなる液体用包装容器において、
容器上部の一方の隅部に正面シートと背面シートとを貼り合わせてなる開封用つまみ代を設け、該開封用つまみ代における容器内方との境界縁を、容器上部側から該開封用つまみ代が位置する容器側辺部側に向けて直線状にして傾斜させ、
前記開封用つまみ代の領域外の位置にして、かつ前記境界縁に近接する位置で該境界縁に沿う直線状の開封位置表示線を設け、該開封位置表示線の延長線上における容器側辺部に開封用の切欠きを設け、容器側辺部における容器内方との境界縁を前記開封位置表示線と直交するように傾斜させて前記切欠きに近接させたことを特徴とする液体用包装容器。
【請求項２】
上記開封用つまみ代における上記境界縁の容器上部側が、該容器上部の長さ方向と直交する容器上下方向に縦にして設けられている請求項１に記載の液体用包装容器。
【請求項３】
容器底部に底シートを介在させた状態で正面シートと背面シートとを貼り合わせてなる液体用包装容器において、
容器上部の一方の隅部に、容器上部を下方に凹ませ容器側辺部を容器中央側に凹ませて上方と側方の前記凹部の間にくちばし状に突出した注出口部を設けて、
前記注出口部の先端位置に正面シートと背面シートとを貼り合わせてなる開封用つまみ代を設け、該開封用つまみ代における容器内方との境界縁を、注出口部の容器上部側から注出口部の容器側辺部側に向けて直線状にして傾斜させ、
前記開封用つまみ代の領域外の位置にして、かつ前記境界縁に近接する位置で該境界縁に沿う直線状の開封位置表示線を設け、注出口部での容器側辺部における前記開封位置表示線の位置に開封用の切欠きを設け、注出口部での容器側辺部における容器内方との境界縁を前記開封位置表示線と直交するように傾斜させて前記切欠きに近接させたことを特徴とする液体用包装容器。
【発明の詳細な説明】
【０００１】
【発明の属する技術分野】
本発明は液体洗剤や液体柔軟剤などを収容する液体用包装容器に関するものである。
【０００２】
【発明が解決しようとする課題】
従来から、合成樹脂製などによりなるボトルタイプの容器においてはその不要時における廃棄処理を行うことでゴミの増大や環境破壊を招き易いという点が問題となってきている。このような状況から近年、一般家庭での使用量が大きい台所用液体洗剤や洗濯用液体洗剤、液体柔軟剤、シャンプー、リンス、ボディーソープなどの商品に対しては、詰め替え用として環境への影響を考慮した素材を選択した容器であって、嵩張り難い形状の液体用包装容器を用いて提供されるようになってきた。
図１０はこのような要望に答えるべくなされたスタンディングパウチと称される液体用包装容器１を示していて、それぞれ積層構成とした正面シート２と背面シート３と底シート４からなり、容器底部５では底シート４を介在させた状態で正面シート２と背面シート３とを貼り合わせ（例えば、ヒートシール）、容器底部の正面シート２の下辺と背面シート３の下辺との間を広げるようにして自立できる形態としている。そして、空容器に内容物を移し替えるに際しては容器上部６を横方向に切断してその切り口から空容器などに注ぎ入れるようにしている。
【０００３】
また、開封後に液体を注ぎ出し易いように、上端を直線状の形態とした容器上部６に沿って横に切断するのではなくその容器上部６の一方の隅部を斜めにカットし、程よい大きさの切り口を得るようにすることも行われる。
しかしながら、容器の隅部を斜めにカットする場合、容器側辺部７に切欠き８を設けてこれを切断始端として手操作で開封しても、容器に対する切断力の加え方が不安定で正面シートや背面シートの成形時に生じた筋目などの影響を受け易くなって切断方向をコントロールし難くなり、例えば、図１１の（イ）に示すように、液体用包装容器１の幅方向に必要以上に大きく切断したり、（ロ）に示すように、液体用包装容器１の容器側辺部７に沿って上方側に短く切断されることがあるなど、その切断により得られる切り口の形状のばらつきが大きいという不都合があり、現状で安定した切り口を得ようとすると、鋏などの切断用具を用いて切断するという手間を要していた。
【０００４】
そこで、図１、２に示す液体用包装容器１の形態を提案した。この液体用包装容器１にあっては、図示されているように、正面シート２の上辺２ａと背面シート３の上辺３ａとをヒートシールにより貼り合わせて上端を直線状とした容器上部６の一方の隅部に、前記正面シート２と背面シート３とを直接ヒートシールしてなる略三角状の開封用つまみ代９が設けられている。そして、この正面シート２と背面シート３との三角領域を一体化してなる前記開封用つまみ代９では、容器内方との境界縁１０が傾斜していて、容器上部６側からこの開封用つまみ代９が位置する容器側辺部７側に向けて直線状にして傾斜している。
このように開封用つまみ代９は、正面シート２と背面シート３とが容器上部６における一隅でヒートシールによる貼り合わせで一体化されたものとなるために硬くなり、容器１の収容空間を形成しているシート部分より硬いものとなる。よって、この開封用つまみ代９を持って千切るようにすれば切断時の切断縁がその境界縁１０に案内されながら直線状に進むようになり、大きさや形状にバラ付きのない切り口が得られるようになる。
さらに、この液体用包装容器１では、切り口にする位置をより明確にするために、開封用つまみ代９の境界縁１０に沿うようにして、かつ、該つまみ代９の領域外の位置で境界縁１０に接近するようにして直線状の開封位置表示線１１を設けており、この開封位置表示線１１を備えることで、上記開封用つまみ代９を持ちながら引き千切る際にも、この開封位置表示線１１を確認しながら切断を進め易くなり、より適正な切り口を形成できるようになる。
この傾斜した開封位置表示線１１の延長線１１ａ上であって容器１の容器側辺部７には従来例と同じように切断時の切断始端を形成し易くするための切欠き８があり、図２に示すように、その切欠き８の内では切断方向に一つの切欠き縁１２を揃えて切断始端が進む方向付けを行うようにしている。
【０００５】
そこで、本発明は、容器上部の一方の隅部を切断するに際して、鋏などの用具も用いなくとも設定位置でその切断が行えるようにすることを課題とし、上記液体用包装容器をさらに良好にして程よい切り口が簡単な手操作で用意に得られるようにすることを目的とする。
【０００６】
【課題を解決するための手段】
本発明は上記課題を考慮してなされたもので、容器底部に底シートを介在させた状態で正面シートと背面シートとを貼り合わせてなる液体用包装容器において、容器上部の一方の隅部に正面シートと背面シートとを貼り合わせてなる開封用つまみ代を設け、該開封用つまみ代における容器内方との境界縁を、容器上部側から該開封用つまみ代が位置する容器側辺部側に向けて直線状にして傾斜させ、前記開封用つまみ代の領域外の位置にして、かつ前記境界縁に近接する位置で該境界縁に沿う直線状の開封位置表示線を設け、該開封位置表示線の延長線上における容器側辺部に開封用の切欠きを設け、容器側辺部における容器内方との境界縁を前記開封位置表示線と直交するように傾斜させて前記切欠きに近接させたことを特徴とする液体用包装容器を提供して、上記課題を解消するものである。
そして、上記発明において、上記開封用つまみ代における上記境界縁の容器上部側が、該容器上部の長さ方向と直交する容器上下方向に縦にして設けられていることが良好である。
もう一つの発明は、容器底部に底シートを介在させた状態で正面シートと背面シートとを貼り合わせてなる液体用包装容器において、容器上部の一方の隅部に、容器上部を下方に凹ませ容器側辺部を容器中央側に凹ませて上方と側方の前記凹部の間にくちばし状に突出した注出口部を設けて、前記注出口部の先端位置に正面シートと背面シートとを貼り合わせてなる開封用つまみ代を設け、該開封用つまみ代における容器内方との境界縁を、注出口部の容器上部側から注出口部の容器側辺部側に向けて直線状にして傾斜させ、前記開封用つまみ代の領域外の位置にして、かつ前記境界縁に近接する位置で該境界縁に沿う直線状の開封位置表示線を設け、注出口部での容器側辺部における前記開封位置表示線の位置に開封用の切欠きを設け、注出口部での容器側辺部における容器内方との境界縁を前記開封位置表示線と直交するように傾斜させて前記切欠きに近接させたことを特徴とする液体用包装容器であり、この液体用包装容器を提供して上記課題を解消するものである。
【０００７】
【発明の実施の形態】
つぎに本発明を実施の形態に基づいて詳細に説明する。なお、図１０と図１１に示す従来例と構成が重複する部分は同符号を付してその説明を省略する。
本発明の液体用包装容器１は、容器底部に底シート４を介在させた状態で正面シート２と背面シート３とを貼り合わせていて、図３から図６に示したように、容器上部６の一方の隅部に、この液体用包装容器１の側方視したときの略矩形領域から突出しない範囲（即ち、容器上部の上端位置から上方に突出せず、容器側辺部の側端位置から側方に突出しない範囲）で、上方と側方の凹部１３の間に位置してくちばし状に突出した注出口部１４を設けている。この図３の例にあっては、その容器１の注出口部１４の先端位置に前記正面シート２と背面シート３とを直接ヒートシールしてなる開封用つまみ代９を設け、正面シート２と背面シート３とのヒートシールにより一体化してなるこの開封用つまみ代９では、容器内方との境界縁１０が傾斜していて、注出口部１４における容器上部６側から容器側辺部７側に向けて直線状にして傾斜している。
そして、上記注出口部４では、切り口にする位置をより明確にするために、開封用つまみ代９の境界縁１０に沿うようにして、かつ、該つまみ代９の領域外の位置で境界縁１０に接近するようにして直線状の開封位置表示線１１を設けており、この開封位置表示線１１を備えることで、上記開封用つまみ代９を持ちながら引き千切る際にも、この開封位置表示線１１を確認しながら切断を進め易くなり、より適正な切り口を形成できるようになる。
さらに、くちばし状の形状とした注出口部４での傾斜した開封位置表示線１１の位置であって、注出口部４における容器上部６と容器側辺部７とに、切断時の切断始端を形成し易くするための切欠き８がある。
そして、図３から図６に図示したくちばし状の注出口部４を備える液体用包装容器１で、その注出口部４での容器側辺部における容器内方との境界縁を上記開封位置表示線１１と直交するように傾斜させて前記切欠き８に近接させるようにする。
また、前記開封用つまみ代９の上縁側に、切欠き８の切断縁形成をより簡便に、かつ、小さな力で行えるようにするための張出片１５を延設しており、つまみ代９の挟み持つことのできる面積を上方側に大きくしている。同様に図４は、開封用つまみ代９の側方下部側に張出片１５を延設した例を示しており、図５は、上方と側方とに大きさの異なる張出片１５を延設した例であり、図６は三方に張り出し片１５を延設した例を示している。
【０００８】
なお、図３から図６において１６は注出口部１４の内部に位置して注出時における注出口部の開放形状を維持するための部品を示している。そして、この部品１６の一例を図７に示していて、三つの片材１６ａが折り部１６ｂを介して断面略コ字状に折り起こし可能に設けられているものであり、平らに並んだ状態（図７（イ）参照）から開封後に折り起こすことで樋状となり（図７（ロ）参照）、注出口部の開きを維持するようにしたものである。
【０００９】
図８に示される容器上部６の上端が直線状とした例の液体用包装容器１においては、開封用つまみ代９における境界縁１０の容器上部６側が容器上下方向に縦にして設けられていて、容器上部６の長さ方向と直交するようにしている。この液体用包装容器１では、容器底部と両容器側辺部とをヒートシールにて形成して正面シートと背面シートとの上辺側を開放した状態で予め形成し、その未シールの上辺側から内容物の充填を行った後にこの上辺をヒートシールして閉じた容器上部を得るようにしている。そこで、前述したようにこの例では予めヒートシールにより形成される開封用つまみ代９において境界縁１０の容器上部側に容器収納空間に対応する領域から立ち上がる縦の縦縁１７を備えるようにしているため、内容物充填時の開口幅１８を広く確保することができるように設けられている。なお、図において、６ａは閉じた容器上部を得るためのシール領域を示している。
【００１０】
図８において示されているように、液体用包装容器１では、容器上部６の一方の隅部に、上記直線状の開封位置表示線１１を設けるとともに、その開封位置表示線１１の延長線１１ａ上に開封用の切欠き８を設けているが、前記容器側辺部７において前記開封位置表示線１１や延長線１１ａが通る箇所を幅広のヒートシール部１９としている。そして、そのヒートシール部１９における容器内方との境界縁であって、開封位置表示線１１やその延長線１１ａと交差する境界縁２０が、その開封位置表示線１１やその延長線と直交するように傾斜し、図示するように切欠き８と近接している。このように切欠き８から切断縁が進む開封位置表示線１１やその延長線１１ａと前記境界縁２０とが直交するようにしているため、切欠き８で生じた切断縁がヒートシールされている容器側辺部７からヒートシールされていない正面シート２と背面シート３との収納空間領域に入り込むとき、即ち、前記境界縁２０を切るときに、その切断縁の進行に対する抵抗が最も小さいとともに、切断縁の進行方向のブレを生じさせる要因（正面シートと背面シートの歪みや伸びなど）が最も少なくなり、適正に切断縁が開封位置表示線１１上を進む。よって、収納空間領域のシート部分に切断縁が入ったときにも二股裂け（正面シートと背面シートとのそれぞれの切断縁がズレる状態）などが生じ難くなる。
図８に示された例では開封位置表示線１１やその延長線と交差する境界縁２０を、容器側辺部７における幅広のヒートシール部１９に形成したが、図９に示すように、容器側辺部７に幅狭のヒートシール部２１を形成して、その幅狭のヒートシール部２１において境界縁２０を設け、切欠き８と近接するようにしてもよい。即ち、容器側辺部７のシール強度を損なわない限り、前記境界縁２０は容器側辺部７の内側に位置するようにしてよい。
なお、開封位置表示線１１やその延長線１１ａと交差する境界縁２０を容器側辺部７に設ける点は、図８や図９に示した縦縁１７を有する容器１に限定されるものではなく、図１に示す容器においても実施できる。
【００１１】
本発明に使用する材料構成としては、下記のものを例として挙げることができる。
（１）
正面シート、背面シート：（外面）ポリエチレンテレフタレート（１２μｍ）／アルミ箔（７μｍ）／延伸ナイロン（１５μｍ）／線状低密度ポリエチレン（１００μｍ）
底シート：（外面）ナイロン（２５μｍ）／アルミ箔（７μｍ）／線状低密度ポリエチレン（１２０μｍ）
（２）
正面シート、背面シート：（外面）内面に蒸着層を設けたポリエチレンテレフタレート（１２μｍ）／延伸ナイロン（１５μｍ）／線状低密度ポリエチレン（１００μｍ）
＊蒸着層としてはアルミニウムなどの金属蒸着、アルミナ、シリカなどの無機化合物蒸着などを挙げることができる。
底シート：（外面）ナイロン（２５μｍ）／線状低密度ポリエチレン（１２０μｍ）
（３）
正面シート、背面シート：（外面）ポリエチレンテレフタレート（１２μｍ）／外面に蒸着層を設けた延伸ナイロン（１５μｍ）／線状低密度ポリエチレン（１２０μｍ）
底シート：（外面）ナイロン（２５μｍ）／線状低密度ポリエチレン（１２０μｍ）
（４）
正面シート、背面シート：（外面）延伸ナイロン（２５μｍ）／線状低密度ポリエチレン（１５０μｍ）
底シート：（外面）延伸ナイロン（２５μｍ）／線状低密度ポリエチレン（１５０μｍ）
【００１２】
本発明の液体用包装容器では、つぎの構成を付加することができる。正面シートや背面シートの収納空間領域を形成しているシート部分に、開封位置表示線へ向けて求心状に伸びる一本以上の溝を形成することができる。この溝は、容器の内部へ窪ませることも容器の外部へ突出させることもでき、これらの窪み、突出を組み合わせるようにしてもよい。そして前記溝は雌雄の成形金型による押圧加工、及び又は雌雄成形金型に熱と圧力を加えた成形加工で設けることができる。この溝を設けることにより、開封後の注出部分の不慮の折り曲がりを防止でき、注ぎ出し時に、内容物が流れ易くなるという効果がある。
【００１３】
【発明の効果】
以上説明したように、本発明によれば、容器底部に底シートを介在させた状態で正面シートと背面シートとを貼り合わせてなる液体用包装容器において、容器上部の一方の隅部に正面シートと背面シートとを貼り合わせてなる開封用つまみ代を設け、該開封用つまみ代における容器内方との境界縁を、容器上部側から該開封用つまみ代が位置する容器側辺部側に向けて直線状にして傾斜させ、前記開封用つまみ代の領域外の位置にして、かつ前記境界縁に近接する位置で該境界縁に沿う直線状の開封位置表示線を設け、該開封位置表示線の延長線上における容器側辺部に開封用切欠きを設け、容器側辺部における容器内方との境界縁を前記開封位置表示線と直交するように傾斜させて前記開封用切欠きに近接させたことを特徴とするものである。そして、もう一つの発明は、容器底部に底シートを介在させた状態で正面シートと背面シートとを貼り合わせてなる液体用包装容器において、容器上部の一方の隅部に、容器上部を下方に凹ませ容器側辺部を容器中央側に凹ませて上方と側方の前記凹部の間にくちばし状に突出した注出口部を設けて、前記注出口部の先端位置に正面シートと背面シートとを貼り合わせてなる開封用つまみ代を設け、該開封用つまみ代における容器内方との境界縁を、注出口部の容器上部側から注出口部の容器側辺部側に向けて直線状にして傾斜させ、前記開封用つまみ代の領域外の位置にして、かつ前記境界縁に近接する位置で該境界縁に沿う直線状の開封位置表示線を設け、注出口部での容器側辺部における前記開封位置表示線の位置に開封用切欠きを設け、注出口部での容器側辺部における容器内方との境界縁を前記開封位置表示線と直交するように傾斜させて前記開封用切欠きに近接させたことを特徴とするものである。
よって、容器を手操作にて開封するに際し、容易に、かつ、適正に切断縁を傾斜した開封位置表示線上へ進めさせることができ、適正な切り口が得られるようになり、開封後の容器の外観を損なうことがないとともに、予め設定した位置にある適正な大きさの切り口を備えるようになるため、内容物の移し替えなどでの注出流も適正な状態の流れとすることができる。
さらに、開封に際し、容器側部側に向けて下り傾斜となる切り口が得られ、注出に際して相手の容器口部平面に対して比較的覆い被せるような切り口にて、内容物の飛び出しを抑えながら安全に注出を行わせることができる。また、手操作においても大きな力を要することなく適正な状態の開封が行えるため、収納空間部分に内圧を高めるような力が加わらず、内容物の飛び出しを抑えながら安全に切断を行わせることができるようになるなど、実用性に優れた効果を奏するものである。
【図面の簡単な説明】
【図１】液体用包装容器の一例を示す説明図である。
【図２】図１に示す例の開封用つまみ代の部分を示す説明図である。
【図３】くちばし状の注出口部を備える液体用包装容器の一つの例を示す説明図である。
【図４】他の例の要部を示す説明図である。
【図５】他の例の要部を示す説明図である。
【図６】他の例の要部を示す説明図である。
【図７】注出口部に設ける部材を示す説明図である。
【図８】開封用つまみ代に縦縁を有する例を示す説明図である。
【図９】他の例を示す説明図である。
【図１０】従来例を示す説明図である。
【図１１】従来例の開封状態を示す説明図である。
【符号の説明】
１…液体用包装容器
２…正面シート
３…背面シート
６…容器上部
７…容器側辺部
８…切欠き
９…開封用つまみ代
１０…境界縁
１１…開封位置表示線
１７…縦縁
２０…境界縁
【図１】
0003627511.tif 000002
【図２】
0003627511.tif 000003
【図３】
0003627511.tif 000004
【図４】
0003627511.tif 000005
【図５】
0003627511.tif 000006
【図６】
0003627511.tif 000007
【図７】
0003627511.tif 000008
【図８】
0003627511.tif 000009
【図９】
0003627511.tif 000010
【図１０】
0003627511.tif 000011
【図１１】
0003627511.tif 000012